(57)【要約】      （修正有）【課題】天板を配置方向の異なる複数の係合部材を介して支持体にスライド移動により取り付ける構成を採用しても、係合部材を共用化する有効な構造を備えた天板付家具を提供する。【解決手段】支持体２に、下面２箇所に係合部材を取り付けた天板３を載せ置き、この天板３を支持体２に対し相対的にスライド移動させて、支持体２と各係合部材５Ｂ、１１との間に構成されるスライド係合機構５を介して、２箇所において支持体２に同時に接続する。そのスライド係合機構５は、支持体５Ａ側に設けた突出部８と、天板５Ｂ側に設けた係合孔５Ｂ４とを備え、スライド始端位置Ｐで天板３を支持体２に載せ置いた際に突出部８の突出端８１側を係合孔５Ｂ４の挿脱口５Ｂ４１に挿入し、天板３のスライド終端位置Ｑで突出部８の突出端８１側を前記係合孔５Ｂ４の挿脱口５Ｂ４１の隣接位置に設けた規制部５Ｂ４２，５Ｂ４３に引き込んで上下方向に係り合わせるものである。【選択図】図８
2004230080.tif 000002
【特許請求の範囲】
【請求項１】
支持体に、少なくとも下面２箇所に係合部材を取り付けた天板を載せ置き、この天板を支持体に対し相対的にスライド移動させることによって、支持体と各係合部材との間に構成されるスライド係合機構を介して、天板を少なくとも２箇所において支持体に同時に接続するようにしたものであって、
スライド係合機構は、支持体または係合部材の一方に設けた突出部と、この突出部を挿入すべく他方に設けた係合孔とを具備し、スライド始端位置で天板を支持体に載せ置いた際に突出部の突出端側を係合孔の挿脱口に挿入し、天板のスライド終端位置で突出部の突出端側を前記係合孔の挿脱口の隣接位置に設けた規制部に引き込んで上下方向に係り合わせるようにしたものであり、
係合部材の配置方向が互いに異なっても突出部が係合孔に同時に係り合うように、係合孔を、挿脱口に対して規制部を異なる方向に複数設けてなるものにして、両係合部材の何れかの規制部が挿脱口に対して同一方向を向くようにしていることを特徴とする天板付家具。
【請求項２】
スライド係合機構は、支持体に設けた突出部たる段付ピンと、この段付ピンを挿入すべく係合部材に設けた係合孔たるダルマ孔とを具備し、スライド始端位置で天板を支持体に載せ置いた際に段付ピンの突出端側をダルマ孔の挿脱口に挿入し、天板のスライド終端位置で段付ピンの突出端側をダルマ孔の挿脱口の隣接位置に設けた規制部たる小孔に引き込んで上下方向に係り合わせるようにしたものであり、
係合部材の配置方向が互いに異なっても段付ピンがダルマ孔に同時に係り合うように、ダルマ孔を、一の挿脱口に対して小孔を異なる方向に複数設けてなる二股ないし多数股形状のものにした請求項１記載の天板付家具。
【請求項３】
スライド係合機構は、係合部材に設けた突出部たる段付ピンと、この段付ピンを挿入すべく支持体に設けた係合孔たるダルマ孔とを具備し、スライド始端位置で天板を支持体に載せ置いた際に段付ピンの突出端側をダルマ孔の挿脱口に挿入し、天板のスライド終端位置で段付ピンの突出端側をダルマ孔の挿脱口の隣接位置に設けた規制部たる小孔に引き込んで上下方向に係り合わせるようにしたものであり、
係合部材の配置方向が互いに異なっても段付ピンがダルマ孔に同時に係り合うように、ダルマ孔を、一の挿脱口に対して小孔を異なる方向に複数設けてなる二股ないし多数股形状のものにした請求項１記載の天板付家具。
【請求項４】
スライド係合機構は、係合部材に設けた突出部たる係合爪と、この係合爪を挿入すべく支持体に設けた係合孔たるフック孔とを具備し、スライド始端位置で天板を支持体に載せ置いた際に係合爪の突出端側をフック孔の挿脱口に挿入し、天板のスライド終端位置で係合爪の突出端側をフック孔の挿脱口の隣接位置に設けた規制部たる小幅部に引き込んで上下方向に係り合わせるようにしたものであり、
係合部材の配置方向が互いに異なっても係合爪がフック孔に同時に係り合うように、フック孔を、一の挿脱口に対して小幅部を異なる方向に複数設けてなるものにした請求項１記載の天板付家具。
【請求項５】
２つの係合部材の配置方向が所定角度異なる場合に、係合孔の規制部を同一角度をなして異なる２方向に設けている請求項１〜４記載の天板付家具。
【請求項６】
天板が平面視Ｌ字形をなす異形天板であって、係合部材が支持体とともに方向を９０°異ならせて配置されるものであり、係合孔を、挿脱口に対して９０°異なる方向に２つの規制部を具備するものにした請求項５記載の天板。
【請求項７】
支持体に、少なくとも下面２箇所に係合部材を取り付けた天板を載せ置き、この天板を支持体に対し相対的にスライド移動させることによって、支持体と各係合部材との間に構成されるスライド係合機構を介して、天板を少なくとも２箇所において支持体に同時に接続するようにしたものであって、
スライド係合機構は、支持体に設けた突出部と、この突出部を挿入すべく係合部材に設けた係合孔とを具備し、スライド始端位置で天板を支持体に載せ置いた際に突出部の突出端側を係合孔の挿脱口に挿入し、天板のスライド終端位置で突出部の突出端側を前記係合孔の挿脱口の隣接位置に設けた規制部に引き込んで上下方向に係り合わせるようにしたものであり、
係合部材の配置方向が互いに異なっても突出部が係合孔に同時に係り合うように、係合部材を、上面及び下面に係合孔を設けてなる中空構造とし、一方の係合部材に対し他方の係合部材を上下反転させることによって、両係合部材の規制部が挿脱口に対して同一方向を向くようにしていることを特徴とする天板付家具。
【請求項８】
支持体が所定角度をなして平面視ハの字形または逆ハの字形に配置した一対の支持要素を具備するものである請求項１〜７記載の天板付家具。
【請求項９】
天板が異形天板である請求項１〜８記載の天板付家具。
【請求項１０】
天板が木製天板である請求項１〜９記載の天板付家具。
【発明の詳細な説明】
【０００１】
【発明の属する技術分野】
本発明は、天板を配置方向の異なる複数の係合部材を介して支持体にスライド移動により取り付けるに際して、それらの係合部材の共用化を図った天板付家具に関するものである。
【０００２】
【従来の技術】
天板付家具は、天板の左右２箇所を支持体に取り付けて構成されるのが通例であり、その取付作業の便を向上させるべく、支持体に天板を載せ置き、この天板を支持体に対し相対的にスライド移動させることによって、天板と支持体との間に構成したダルマ孔等の係合孔と段付ピン等の突出部からなるスライド係合機構を通じて、当該天板の左右を支持体の対応部位に係り合わせて取り付ける構造を採用していることが多い。スライド係合機構は、スライド始端位置で天板を支持体に載せ置いた際に突出部の突出端側を係合孔の挿脱口に挿入し、天板のスライド終端位置で突出部の突出端側を前記係合孔の挿脱口の隣接位置に設けた小孔等の規制部に引き込んで上下方向に係り合わせる構造をなすもので、規制部は挿脱口に対して天板のスライド方向に合致させて設けられている。
【０００３】
このうち、木製天板等では、天板本体に係合孔や突出部を一体に作り込むことができないため、例えば特許文献１に見られるように、天板の下面に係合部材を取り付け、この係合部材と支持体との間に前記のスライド係合機構を構成するようにしているのが通例であり、左右の係合部材に共通部材を用いてコストダウンを図っている。
【０００４】
【特許文献】
特開平１１−１６４７３９号  公報
【０００５】
【発明が解決しようとする課題】
ところで、近時のオフィスにおけるＯＡ化の進展に伴って、机上におけるデスクワークはペーパー作業からコンピュータを使用した作業へとその大半が移行した。そして、このような作業形態の変化に伴って、天板付家具には、往来の矩形天板から次第にＬ字形天板などの異形天板を採用したものが増えている。
【０００６】
しかして、このような異形天板を支持する際は、左右の支持体を係合部材と共に異なる方向に配置しなければならないケースが少なくなく、これに伴って係合孔に対する突出部の相対的なスライド係合方向も相異してくるため、左右の係合部材等を別仕様のものにしなければ左右同時のスライド係合動作を実現できなくなる可能性があり、部品の共通化によるコストダウンのメリットが損なわれるおそれがある。
【０００７】
このような不具合は、木製以外の異形天板であっても複数の係合部材を使用することで天板への複雑な作り込みを回避する場合等には同様に起こり得、異形天板でなくとも荷重支持構造や下肢空間等との関係から複数の係合部材を向きを異ならせて配置する場合には同様に起こり得るものである。
【０００８】
本発明は、このような課題に着目してなされたものであって、天板を配置方向の異なる複数の係合部材を介して支持体にスライド移動により取り付ける構成を採用しても、係合部材を共用化する有効な構造を備えた天板付家具を実現しようとするものである。
【０００９】
【課題を解決するための手段】
本発明は、かかる目的を達成するために、次のような構成を採用したものである。
【００１０】
すなわち、本発明は、支持体に、少なくとも下面２箇所に係合部材を取り付けた天板を載せ置き、この天板を支持体に対し相対的にスライド移動させることによって、支持体と各係合部材との間に構成されるスライド係合機構を介して、天板を少なくとも２箇所において支持体に同時に接続するようにしたものであって、スライド係合機構が、支持体または係合部材の一方に設けた突出部と、この突出部を挿入すべく他方に設けた係合孔とを具備し、スライド始端位置で天板を支持体に載せ置いた際に突出部の突出端側を係合孔の挿脱口に挿入し、天板のスライド終端位置で突出部の突出端側を前記係合孔の挿脱口の隣接位置に設けた規制部に引き込んで上下方向に係り合わせるようにしている天板付家具を対象とする。
【００１１】
そして、係合部材の配置方向が互いに異なっても突出部が係合孔に同時に係り合うように、係合孔を、挿脱口に対して規制部を異なる方向に複数設けてなるものにして、両係合部材の何れかの規制部が挿脱口に対して同一方向を向くように設定したことを特徴とする。
【００１２】
このようにすれば、係合部材の仕様としては一つで済むので、別仕様の係合部材を採用する場合に比べて部品製作の面で確実に有利となる。このようなメリットは、１つの天板付家具につき使用する係合部材が増えるにつれて、その効果は格段に顕著となる。
【００１３】
具体的な実施の態様としては、以下のようなものが挙げられる。
【００１４】
１）スライド係合機構が、支持体に設けた突出部たる段付ピンと、この段付ピンを挿入すべく係合部材に設けた係合孔たるダルマ孔とを具備し、スライド始端位置で天板を支持体に載せ置いた際に段付ピンの突出端側をダルマ孔の挿脱口に挿入し、天板のスライド終端位置で段付ピンの突出端側をダルマ孔の挿脱口の隣接位置に設けた規制部たる小孔に引き込んで上下方向に係り合わせるようにしたものであり、ダルマ孔を、一の挿脱口に対して小孔を異なる方向に複数設けてなる二股ないし多数股形状にしたもの。
【００１５】
２）スライド係合機構が、係合部材に設けた突出部たる段付ピンと、この段付ピンを挿入すべく支持体に設けた係合孔たるダルマ孔とを具備し、スライド始端位置で天板を支持体に載せ置いた際に段付ピンの突出端側をダルマ孔の挿脱口に挿入し、天板のスライド終端位置で段付ピンの突出端側をダルマ孔の挿脱口の隣接位置に設けた規制部たる小孔に引き込んで上下方向に係り合わせるようにしたものであり、ダルマ孔を、一の挿脱口に対して小孔を異なる方向に複数設けてなる二股ないし多数股形状にしたもの。
【００１６】
３）スライド係合機構が、係合部材に設けた突出部たる係合爪と、この係合爪を挿入すべく支持体に設けた係合孔たるフック孔とを具備し、スライド始端位置で天板を支持体に載せ置いた際に係合爪の突出端側をフック孔の挿脱口に挿入し、天板のスライド終端位置で係合爪の突出端側をフック孔の挿脱口の隣接位置に設けた規制部たる小幅部に引き込んで上下方向に係り合わせるようにしたものであり、フック孔を、一の挿脱口に対して小幅部を異なる方向に複数設けたもの。
【００１７】
２つの係合部材の配置方向が所定角度異なる場合には、係合孔の規制部を同一角度をなして異なる２方向に設けておけばよく、例えば天板が平面視Ｌ字形をなす異形天板であって、係合部材が支持体とともに方向を９０°異ならせて配置される場合には、係合孔を、挿脱口に対して９０°異なる方向に２つの規制部を具備するものにすればよい。
【００１８】
また、本発明は次のように構成することによっても同様の目的を達成することができる。
【００１９】
すなわち、支持体に、少なくとも下面２箇所に係合部材を取り付けた天板を載せ置き、この天板を支持体に対し相対的にスライド移動させることによって、支持体と各係合部材との間に構成されるスライド係合機構を介して、天板を少なくとも２箇所において支持体に同時に接続するようにしたものであって、スライド係合機構は、支持体に設けた突出部と、この突出部を挿入すべく係合部材に設けた係合孔とを具備し、スライド始端位置で天板を支持体に載せ置いた際に突出部の突出端側を係合孔の挿脱口に挿入し、天板のスライド終端位置で突出部の突出端側を前記係合孔の挿脱口の隣接位置に設けた規制部に引き込んで上下方向に係り合わせるようにしたものであり、係合部材の配置方向が互いに異なっても突出部が係合孔に同時に係り合うように、係合部材を、上面及び下面に係合孔を設けてなる中空構造とし、一方の係合部材に対し他方の係合部材を上下反転させることによって、両係合部材の規制部が挿脱口に対して同一方向を向くようにしたもの。
【００２０】
このようにしても、上下反転すれば左右の係合部材として使用できるため、仕様の共通化が図れる点では上記のものと同様である。
【００２１】
支持体の具体的な実施の態様としては、当該支持体が、所定角度をなして平面視ハの字形または逆ハの字形に配置した一対の支持要素を具備しているものが挙げられる。
【００２２】
本発明の好適な適用例としては、天板が異形天板であるもの、天板が木製天板であるものが挙げられる。
【００２３】
【発明の実施の形態】
以下、本発明の一実施形態について、図面を参照して説明する。
【００２４】
この実施形態の天板付家具１は、図１に示すように支持体２に異形天板３を載せ置き、この異形天板３を支持体２に対し図８に矢印で示すように相対的にスライド移動させることによって、異形天板３の少なくとも２箇所を支持体２の対応部位に、その間に介在させたスライド係合機構５を介して同時に接続するようにしたものである。
【００２５】
図１に示す支持体２は、主たる支持要素である一対の袖構造体４と、補助的な支持要素であるコーナー脚６とを具備する。袖構造体４は、図１、図２、図４、図５及び図６等に示すように、上壁４Ａ、底壁４Ｂ、側壁及４Ｃ及び背壁４Ｄによって５面を閉止し前面側を開口させた収納空間を形成してなる筐体４０と、この筐体４０の収納空間に出し入れ可能に収容される上下３組の引出し４Ｅ１，４Ｅ２，４Ｅ３とを備えた自立性のあるものである。背壁４Ｄには、後上方に向けて突出するオプション取付部材４Ｆが取り付けてある。コーナー脚６は、図１に示すように角パイプ状のもので、直交２面における前記オプション取付部材４Ｆの対応位置にオプション取付部材６Ａを有している。そして、一対の袖構造体４を所定角度（９０°）向きを変えて離間配置し、かつコーナー脚６の直交２面のうちの各面が各々最寄の袖構造体４の背壁４Ｄとそれぞれ面一となる位置に配置して、各袖構造体４とコーナー脚６との上端部間にそれぞれ角パイプ状のフレーム部材７を架け渡して固定することにより、これら一対の袖構造体４とコーナー脚６とを相互に接続して構造物として一体化している。
【００２６】
一方、異形天板３は、図２、図３、図８等に示すように、前記一対の袖構造体４及びコーナー脚６の上方をほぼ覆う大きさの平面視Ｌ字形をなす木製のものである。反使用縁３ｂは直交２辺をなし、各辺の中間部やコーナー部等には、それぞれ使用縁３ａ側に凹む凹所３Ｃ，３Ｄが設けてある。また、この異形天板３の使用縁３ａ側は、袖構造体４に支持される端部領域が対応する反使用縁３ｂの辺と平行をなし、コーナー脚６と対面する中央領域はコーナー脚６側に向けて大きく抉った形状をなし、これら中央領域と端部領域との間が滑らかに連続させてある。このような異形天板形状は、主として中央領域に着座した者が、コーナー部にＰＣのモニターやキーボード等を無理なく有効活用でき、また、左右両側に位置する天板面３Ａをサイドデスク的に有効利用できる環境を提供するためのものである。しかしてこの異形天板３は、反使用縁３ｂの直交２辺がなす内角を２等分する直線を境にして、平面視左右対称形状をなしている。
【００２７】
そして、本実施形態は前記スライド係合機構５を、袖構造体４の上壁４Ａに取り付けた天板取付部材５Ａと、天板３の下面３Ｂに取り付けた係合部材５Ｂとの間に構成している。
【００２８】
天板取付部材５Ａは、図１〜図６等に示すように、袖構造体４の上壁４Ａの内側に収まる平面形状をなす底板５Ａ１と、この底板５Ａ１の左右両縁より起立する起立片５Ａ２及び前縁より起立する起立片５Ａ４とを具備するスチール製のもので、左右の起立片５Ａ２の前後２箇所に、起立端から相寄る向きに水平片５Ａ３を形成し、前側の起立片５Ａ４にも前方へ突出させた水平片５Ａ５を形成している。一方、係合部材５Ｂは、図１〜図３並びに図７等に示すように、底板５Ｂ１及び起立片５Ｂ２によってチャネル構造をなしその起立端から相離れる向きに取付片５Ｂ３を突出させてなるもので、この係合部材５Ｂを異形天板３の下面３Ｂに対して、当該異形天板３の所定取付位置において前記袖構造体４の天板取付部材５Ａに対向することとなる部位に取り付けている。この係合部材５Ｂは、その長手方向を天板３の反使用縁３ｂ側の辺に平行な方向（換言すれば、袖構造体４の幅方向、引出し４Ｅ１、４Ｅ２，４Ｅ３の出し入れと直交する方向）に合致させて配置される。
【００２９】
そして、天板取付部材５Ａの底壁５Ａ１における後端部側に左右一対の取付孔（図示省略）を設けて突出部たる段付ピン８を上方からねじ込んで取り付ける一方、係合部材５Ｂの底板５Ｂ１に前記一対の取付孔と同一ピッチで長手方向２箇所に係合孔たるダルマ孔５Ｂ４を形成して、スライド始端位置Ｐ（図８参照）で異形天板３を袖構造体４に載せ置いた際に図７（ａ）に想像線で示すように段付ピン８の突出端側の頭部８１をダルマ孔５Ｂ４の大径な挿脱口５Ｂ４１に挿入し、天板３のスライド終端位置Ｑ（図８参照）で前記頭部８１を同図（ｂ）、（ｃ）、（ｄ）に示すように前記挿脱口５Ｂ４の隣接位置に設けた規制部たる小孔５Ｂ４２、５Ｂ４３の何れか一方に引き込んで上下方向に係り合わせるようにしている。小孔５Ｂ４２，５Ｂ４３は段付ピン８の軸部８２よりも開口が大きく頭部８１よりも開口が小さく設定されており、挿脱口５Ｂ４１の略中心から小孔５Ｂ４２，５Ｂ４３の略終端までの距離は、異形天板３をスライド移動させる距離に対応している。
【００３０】
その際、この天板付家具１が異形天板３を２箇所において支持すべく袖構造体４を所定角度（９０°）向きを変えて配置していることより、袖構造体４に取り付ける天板取付部材５Ａや異形天板３の対応部位に取り付ける係合部材５Ｂの配置方向も図１、図２、図９等に明らかなように同一角度（９０°）異なってくる。そこで、このような状況下においても、これら天板取付部材５Ａや支持部材５Ｂを各袖構造体４に共通部材として使用して袖構造体４の段付ピン８と異形天板３側のダルマ孔５Ｂ４との係合を有効に実現することができるように、且つそのスライド係合を均等に行うことができるように、係合部材５Ｂに設けるダルマ孔５Ｂ４の形状及び向きに工夫を凝らしている。
【００３１】
先ず、この実施形態は、スライド移動方向を、図８に示すように異形天板３の使用縁３ａや反使用縁３ｂの内角を二等分する二等分線方向（４５°方向）に設定する。使用縁３ａの内角は直線をなす端部領域の角度に相当する。これは、スライド係合機構５が所定角度（９０°）をなして平面視ハの字形に一対に配置されている点に着目すれば、スライド移動方向は前記両スライド係合機構５のなす角を二等分する二等分線（以下「中心線ＣＬ」）方向であるとも言える。そして、そのために必要な要件として、着座者から見て右側の袖４構造体の対応部位に位置する係合部材５Ｂのダルマ孔５Ｂ４と、左側の袖構造体４の対応部位に位置する係合部材５Ｂのダルマ孔５Ｂ４とは、ともに挿脱口５Ｂ４１から前記中心線ＣＬ方向に向いている必要がある。右側の係合部材５Ｂと左側の係合部材５Ｂとは９０°配置が異なるから、仮に図１０に示すように１つの挿脱口５Ｂ４１ついて１つのみの小孔５Ｂ４２を有する一般的なダルマ孔５Ｂ４の場合について右側の係合部材５Ｂを右、左何れに旋回させて左側の係合部材５Ｂとして使用しても、小孔５Ｂ４２は二等分線と直交する方向を向き、二等分線方向を向くことはない。そこで、本実施形態は図３、図７、図８等に示すように、係合部材５Ｂのダルマ孔５Ｂ４に９０°異なる方向にもう１つ小孔５Ｂ４３を設けた二股形状を採用し、この係合部材５Ｂを９０°回転させて左側の係合部材５Ｂとして配置したときに、そのもう一つの小孔５Ｂ４３を前記中心線ＣＬ方向を向かせるようにしている。
【００３２】
なお、この実施形態は、前記オプション取付部材４Ｆ、６Ａを利用して、図１、図８、図９等に示すように、異形天板３の反使用縁３ｂの２辺にそれぞれパネル９を取り付け、またコーナー部にコーナーボックス１０を取り付けるようにしている。パネル９を取り付けることにより、前記凹所３Ｃ，３Ｄは、異形天板３とパネル９の前面９Ｂとの間に配線類を落とし込むための空間として機能する。
【００３３】
また、この天板付家具１は、異形天板３をスライド始端位置Ｐに誘導する位置決め機能と、異形天板３をスライド終端位置Ｑに固定する固定機能とを備えている。位置決め機能は、前記パネル９やコーナーボックス１０を利用することによって働くもので、図８に想像線で示すように、異形天板３の反使用縁３ｂ側のコーナー部及び２辺をコーナーボックス１０やパネル９の前面９Ｂに突き当てることをもって、左右の袖構造体４におけるダルマ孔５Ｂ４の挿脱口５Ｂ４１と段付ピン８とが合致する位置決めがなされるように設定している。段付ピン８が挿脱口５Ｂ４１に挿入されると、異形天板３の天板面３Ａが沈み込んでパネル９の上端９Ａと略同一高さとなるようにして、目視と操作感によってスライド操作の準備ができたことを確認できるようになっている。また、固定機能は、図１〜図３等に示すように、前記袖構造体４の上壁４Ａに設けた天板取付部材５Ａの前端側における起立片５Ａ４と、異形天板３の下面３Ｂの対応部位に設けた起立片１１Ａを有する被固定部材１１との協働作用により働くもので、異形天板３をスライド終端位置Ｑまで移動させたとき、両起立片同士５Ａ４、１１Ａが突き当たるか若しくは近接して対面する位置関係にそれらを設定している。そして、袖構造体４の前端側から固定部材の起立片５Ａ４にねじ１１Ｂを挿し通して被固定部材１１の起立片１１Ａに締めこむことによって、異形天板３をそのスライド終端位置Ｑに固定するようにしている。
【００３４】
次に、この実施形態における異形天板３の支持体２への取付手順について説明する。
【００３５】
先ず、異形天板３を、本来固定すべき位置よりも後方に変位させて支持体２に載せ置く。このとき、異形天板３の反使用縁３ｂ側のコーナー部をパネル９のコーナー部に突き当てれば、ダルマ孔５Ｂ４の挿脱口５Ｂ４１と段付ピン８とを合致させる位置決めがなされ、載せ置いて異形天板３が沈み込んだときに段付ピン８の頭部８１をダルマ孔５Ｂ４の挿脱口５Ｂ４１に挿入することができる。次に、異形天板３に設けられた配線落とし込み用の凹所３Ｄ，３Ｃ等を利用し、その適宜部位を把持して、これを前記中心線方向にスライド移動させる。常に中心線方向に移動させることが好ましいが、段付ピン８とダルマ孔５Ｂ４の間にはクリアランスが存在し、そのクリアランスから多少の蛇行は許容されるため、操作し易ければその許容範囲で図８に矢印で示すようにジグザグに操作して、右側の袖構造体４における係合と左側の袖構造体４における係合とを交互に進行させるようにしてもよい。そして、異形天板３がスライドし得なくなった位置、すなわちスライド終端位置Ｑにまで移動したときに、袖構造体４の正面側からねじ止めすることによって、図８及び図９に示すように異形天板３の支持体２への取り付け作業を完了することができる。
【００３６】
以上のように、本実施形態の天板付家具１は、支持体２に、下面２箇所に配置方向の異なる係合部材５Ｂ、１１を取り付けた天板３を載せ置き、この天板３を支持体２に対し相対的にスライド移動させることによって、支持体２と各係合部材５Ｂ、１１との間に構成されるスライド係合機構５を介して、天板３を２箇所において支持体２に同時に接続するようにしたものである。そして、スライド係合機構５が、支持体２に設けた突出部たる段付ピン８と、この段付ピン８を挿入すべく係合部材５Ｂに設けた係合孔たるダルマ孔５Ｂ４とを具備し、スライド始端位置Ｐで天板３を支持体２に載せ置いた際に段付ピン８の突出端側をダルマ孔５Ｂ４の挿脱口５Ｂ４１に挿入し、天板３のスライド終端位置Ｑで段付ピン８の突出端８１側をダルマ孔５Ｂ４の挿脱口５Ｂ４１の隣接位置に設けた規制部たる小孔５Ｂ４２，５Ｂ４３に引き込んで上下方向に係り合わせるようにしたものであり、そのダルマ孔５Ｂ４を、一の挿脱口５Ｂ４１に対して小孔５Ｂ４２，５Ｂ４３を異なる方向に複数設けてなる二股形状のものにしているものである。
【００３７】
このようにすれば、係合部材５Ｂの仕様としては一つで済むので、別仕様の係合部材を採用する場合に比べて部品製作の面で確実に有利となる。このようなメリットは、１つの天板付家具１につき使用する係合部材が増えるにつれてその効果は格段に顕著となるので、本実施形態を例えば中間にも支持要素を設けて異形天板３を３箇所で支持するような形態に変更するような場合、係合部材５Ｂの配置方向が３方向となるので２つの小孔５Ｂ４２，５Ｂ４３の間にもう一つ小孔を追加して、係合孔を一の挿脱口５Ｂ４１に対して３方向に小孔を有してなる３股形状にすることで容易に対応することができる。また、このような構造をなす天板付家具１であれば、例えば２つの係合部材５Ｂを同じ方向に配置した場合に、天板３を異なる方向にスライドさせて取り付けるという別異の取り付け態様も実施できるので、本発明のような用途を有することを前提として、周辺取付事情に応じて取付作業の変更を可能ならしめるという副次的な効果も得られるものである。
【００３８】
また、係合孔の小孔の方向５Ｂ４２，５Ｂ４３を確定するにあたり、本実施形態のように２つの係合部材５Ｂ、１１の配置方向が所定角度（９０°）異なる点に着目して、当該小孔間を同一角度（９０°）となるように設計することとすれば、設計基準が明確となり、加工や組立て間違いの起こり難いものにすることができる。
【００３９】
以上のような構成であるから、本発明は、上記実施形態のように支持体が所定角度をなして平面視ハの字形または逆ハの字形に配置した一対の支持要素を具備している天板付家具、天板が異形天板である天板付家具、天板が木製天板である天板付家具などに適用して特に優れた効果を奏するものである。
【００４０】
以上、本発明の一実施形態について説明したが、各部の具体的な構成は、上述した実施形態のみに限定されるものではない。
【００４１】
例えば、上記実施形態ではＬ字型の異形天板３のスライド方向を内角を二等分する方向としているが、例えば図１０に示すような方向にスライドさせる場合であれば、係合孔５Ｂ４の規制部５Ｂ４２，５Ｂ４３を同図に示すようなものにすれば係合部材を９０°回転させるだけで共用することができる。
【００４２】
また、上記実施形態では、スライド係合機構５が、図１１（ａ）に示すように固定である支持体５Ａ側に段付ピン８を設け（図において段付ピン８に入れたハッチはそれが固定であることを表わしている）、可動である天板５Ｂ側にダルマ孔５Ｂ４を設けたが、同図（ｂ）に示すように固定である支持体５Ａ側に係合孔１５０Ｂ４を設け（図において係合孔１５０Ｂ４周辺に入れたハッチは係合孔１５０Ｂ４が固定であることを表わしている）、可動である天板５Ｂ側に段付ピン８を設けても、同様の作用効果を奏することができる。
【００４３】
さらに、図１２に示すように、固定である支持体５Ａ側に突出部たる係合爪１３を設け、可動である天板５Ｂ側にこの係合爪１３が移動することにより係合するフック孔２５０Ｂ４を設けるようにした場合に、係合部材として、フック孔２５０Ｂ４を、係合爪１３を挿脱可能な挿脱口２５０Ｂ４１から２方向に小幅部２５０Ｂ４２，２５０Ｂ４３を延伸させてなるものにすれば、上記と同様の作用効果を奏することができる。
【００４４】
さらにまた、図１３に示すように、係合部材１４を、上面１４Ａ及び下面１４Ｂに係合孔３５０Ｂ４を設けてなる中空構造とし、一方の係合部材１４（ａ）に対し他方の係合部材１４（ｂ）を上下反転させることによって両係合部材の規制部３５０Ｂ４２が挿脱口３５０Ｂ４１に対して同一方向を向くようにしたものであっても、上記と同様の作用効果を得ることができる。この場合は、規制部３５０Ｂ４２は基本的に１つでよく、また係合部材１４を角パイプ構造等にできるため強度アップも期することができるものとなる。
【００４５】
その他、係合孔を挿脱口を中心とした十字形状にしたり、回転方向のスライド移動によって異なる向きに配置された複数の係合部材に対し係合状態を同時に実現するようにしたものに適用するなど、本発明の趣旨を逸脱しない範囲で種々変形が可能である。
【００４６】
【発明の効果】
本発明は、以上説明した構成であるから、天板を配置方向の異なる複数の係合部材を介して支持体にスライド移動により取り付ける必要のある天板付家具において、それらの係合部材を有効に共用化することにより、コストアップを伴わずに取付作業の便を確保した天板付家具を提供することができるものである。
【図面の簡単な説明】
【図１】本発明の一実施形態に係る天板付家具を、支持体に異形天板を取り付ける前の状態において示す斜視図。
【図２】同正面図。
【図３】異形天板の下面を係合部材等とともに示す分解斜視図。
【図４】同実施形態の支持要素たる袖構造体を示す平面図。
【図５】同正面図。
【図６】同側面図。
【図７】同実施形態の係合部材をこれに設けられた係合孔たるダルマ孔と突出部たる段付ピンの相互作用と共に示す説明図。
【図８】同実施形態に係る天板付家具を、支持体に異形天板を取り付けた状態において示す平面図。
【図９】同正面図。
【図１０】本発明の変形例を示す図。
【図１１】本発明の他の変形例を示す図。
【図１２】本発明のさらに他の変形例を示す図。
【図１３】本発明の上記以外の変形例を示す図。
【符号の説明】
１…天板付家具
２…支持体
３…天板（異形天板）
５…スライド係合機構
５Ｂ４…係合孔（ダルマ孔）
５Ｂ４１…挿脱口
５Ｂ４２…規制部（小孔）
５Ｂ４３…規制部（小孔）
８…突出部（段付ピン）
１３…係合爪
１４…係合部材
１４Ａ…上面
１４Ｂ…下面
８１…突出端側（頭部）
２５０Ｂ４…フック孔
２５０Ｂ４１…挿脱口
２５０Ｂ４２…規制部
２５０Ｂ４３…規制部
３５０Ｂ４…係合孔
３５０Ｂ４２…規制孔
Ｐ…スライド始端位置
Ｑ…スライド終端位置
【図１】
2004230080.tif 000003
【図２】
2004230080.tif 000004
【図３】
2004230080.tif 000005
【図４】
2004230080.tif 000006
【図５】
2004230080.tif 000007
【図６】
2004230080.tif 000008
【図７】
2004230080.tif 000009
【図８】
2004230080.tif 000010
【図９】
2004230080.tif 000011
【図１０】
2004230080.tif 000012
【図１１】
2004230080.tif 000013
【図１２】
2004230080.tif 000014
【図１３】
2004230080.tif 000015